(57)【要約】【課題】簡易な構造で金庫を建物に固定でき、しかも、簡単には切断できない構造の金庫の盗難防止留め具を提供する。【解決手段】金庫２の壁面に接着固定される固定部材１０と、建物３に固定されるアンカー部材２０と、固定部材１０とアンカー部材２０との間を連結するチェーン部材３０と、を備えたことを特徴とする。【選択図】　図１
2004027485.tif 000002
【特許請求の範囲】
【請求項１】
金庫等の対象物の壁面に接着固定される固定部材と、建物に固定されるアンカー部材と、固定部材とアンカー部材との間を連結するチェーン部材と、を備えたことを特徴とする盗難防止留め具。
【請求項２】
アンカー部材はアンカーボルトによって建物に固定され、ボルトの頭部を隠す隠蔽手段を備えたことを特徴とする請求項１に記載の盗難防止留め具。
【請求項３】
隠蔽手段はアンカー部材に重ねられるカバー部材を備え、該カバー部材はアンカー部材に固着具を介して固定され、固着具は専用工具により着脱される構成となっている請求項２に記載の盗難防止留め具。
【請求項４】
アンカー部材にはフック部が突設され、カバー部材にはフック部が挿通可能な通し穴が設けられ、該通し穴から突出するフック部にはカップリングを介してチェーン部材が連結される構成で、前記カップリングが前記通し穴を通過不能の大きさとしたことを特徴とする請求項３に記載の盗難防止留め具。
【請求項５】
対象物に接着固定される固定部材にもフック部が突設され、該フック部にカップリングを介してチェーン部材が連結される構成となっている請求項１乃至４のいずれかの項に記載の盗難防止留め具。
【請求項６】
カップリングは、連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴が開口する腕部側面には、ピン穴を隠すピン留めカバーが接着され、該ピン留めカバーには、前記ピン穴に対応するねじ穴が設けられ、該ねじ穴にピン留めねじがねじ込み固定され、該ピン留めねじのねじ頭部端面には専用工具が係合可能の特殊係合部が設けられている請求項４または５に記載の盗難防止留め具。
【請求項７】
ピン留めカバーは、ねじ穴の開口端部を頂部とし、該頂部から固定面に向かって徐々に裾拡がり状に傾斜する傾斜面を備えていることを特徴とする請求項６に記載の盗難防止留め具。
【請求項８】
カップリングは、連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴の開口部の内周に所定長さだけねじ部を設け、ピンを前記ねじ部の奥まで打ち込み、ねじ部にピン留めねじをねじ込んだことを特徴とする請求項４または５に記載の盗難防止留め具。
【請求項９】
連結ピンによって連結される一対のカップリング構成部材を有し、該カップリング構成部材は互いに重なり合う一対の腕部を備え、該腕部に設けられたピン穴に前記連結ピンが差込固定されるカップリングにおいて、
前記カップリング構成部材のピン穴が開口する腕部側面には、ピン穴を隠すピン留めカバーが接着され、該ピン留めカバーには、前記ピン穴に対応するねじ穴が設けられ、該ねじ穴にピン留めねじがねじ込み固定され、該ピン留めねじのねじ頭部端面には専用工具が係合可能の特殊係合部が設けられていることを特徴とするカップリングのピン抜け防止装置。
【請求項１０】
連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴の開口部の内周に所定長さだけねじ部を設け、ピンを前記ねじ部の奥まで打ち込み、ねじ部にピン留めねじをねじ込んだことを特徴とするカップリング。
【発明の詳細な説明】
【０００１】
【発明の属する技術分野】
本発明は、たとえば金庫等の対象物を建物に固定して、金庫等の盗難を防止する簡易な盗難防止留め具およびこれに用いられるカップリングのピン抜け防止装置並びにカップリングに関する。
【０００２】
【従来の技術】
大型金庫の盗難は、金庫の鍵を開けて中身の金品を持ち出す手口が一般的であったが、近年、１００ｋｇ以上の大型の金庫が、金庫ごと持ち出される被害が増加している。
従来の金庫の盗難対策としては、金庫に近づいたり、金庫の鍵を不正に触ると、それを検知して警備会社に自動的に通報し、警備員が駆けつける防犯システムが一般的である。
【０００３】
【発明が解決しようとする課題】
しかしながら従来の防犯システムでは、通報から警備員が到着する間に、既に持ち出されてしまっている場合が多い。警備員の到着時間をより短くすればよいが、物理的に限界があり、どうしても１５分程度の時間がかかってしまう。
そこで、金庫を動かせないように、建物にボルト等で固定する固定具が種々考案されている。
【０００４】
しかし、大型金庫の場合は耐火構造となっているために、内部に砂等の耐火物が入っており、既存の金庫に後からボルト用の穴をあけることができないという問題があった。
また、壁などに固定したとしても、カッターによって短時間に切断されてしまうようでは意味が無い。
【０００５】
本発明は、上記した従来技術の問題点を解決するためになされたもので、その目的とするところは、簡易な構造で金庫等を建物に固定でき、しかも、簡単には外せない構造の盗難防止留め具およびカップリングのピン抜け防止装置並びにカップリングを提供することにある。
【０００６】
【課題を解決するための手段】
上記目的を達成するために、本発明にあっては、金庫等の対象物の壁面に接着固定される固定部材と、建物に固定されるアンカー部材と、固定部材とアンカー部材との間を連結するチェーン部材と、を備えたことを特徴とする。
アンカー部材はアンカーボルトによって建物に固定され、ボルトの頭部を隠す隠蔽手段を備えたことを特徴とする。
隠蔽手段はアンカー部材に重ねられるカバー部材を備え、該カバー部材はアンカー部材に固着具を介して固定され、固着具は専用工具により着脱される構成となっていることを特徴とする。
【０００７】
アンカー部材にはフック部が突設され、カバー部材にはフック部が挿通可能な通し穴が設けられ、該通し穴から突出するフック部にはカップリングを介してチェーン部材が連結される構成で、前記カップリングが前記通し穴を通過不能の大きさとしたことを特徴とする。
対象物に接着固定される固定部材にもフック部が突設され、該フック部にカップリングを介してチェーン部材が連結される構成となっていることを特徴とする。
【０００８】
カップリングは、連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴が開口する腕部側面には、ピン穴を隠すピン留めカバーが接着され、該ピン留めカバーには、前記ピン穴に対応するねじ穴が設けられ、該ねじ穴にピン留めねじがねじ込み固定され、該ピン留めねじのねじ頭部端面には専用工具が係合可能の特殊係合部が設けられていることを特徴とする。
【０００９】
ピン留めカバーは、ねじ穴の開口端部を頂部とし、該頂部から固定面に向かって徐々に裾拡がり状に傾斜する傾斜面を備えていることを特徴とする。
また、カップリングは、連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴の開口部の内周に所定長さだけねじ部を設け、ピンを前記ねじ部の奥まで打ち込み、ねじ部にピン留めねじをねじ込んだことを特徴とする。
【００１０】
また、本発明のカップリングのピン抜け防止装置は、連結ピンによって連結される一対のカップリング構成部材を有し、該カップリング構成部材は互いに重なり合う一対の腕部を備え、該腕部に設けられたピン穴に前記連結ピンが差込固定されるカップリングにおいて、
前記カップリング構成部材のピン穴が開口する腕部側面には、ピン穴を隠すピン留めカバーが接着され、該ピン留めカバーには、前記ピン穴に対応するねじ穴が設けられ、該ねじ穴にピン留めねじがねじ込み固定され、該ピン留めねじのねじ頭部端面には専用工具が係合可能の特殊係合部が設けられていることを特徴とする。
【００１１】
また、本発明の他のカップリングは、連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴の開口部の内周に所定長さだけねじ部を設け、ピンを前記ねじ部の奥まで打ち込み、ねじ部にピン留めねじをねじ込んだことを特徴とする。
【００１２】
【発明の実施の形態】
以下に本発明を図示の実施の形態に基づいて説明する。
図１乃至図５は、本発明の実施の形態１に係る金庫等の盗難防止留め具を示している。
すなわち、この盗難防止留め具１は、図１に示すように、金庫２の壁面に接着固定される固定部材１０と、建物３に固定されるアンカー部材２０と、固定板１０とアンカー部材２０との間を連結するチェーン部材３０と、を備えている。
【００１３】
固定部材１０は、図３に示すように、四角形状の鋼鉄製の平板で、たとえば金庫２の上面に固定される。固定部材１０にはフック部１１が突設されている。フック部１１はチェーン部材３０を引っ掛ける鋼鉄製のＵ字形状の棒材で、両端が固定部材１０に溶接されている。すなわち、フック部１１の両脚部１１ａ，１１ａが固定部材１０に設けられた固定穴１０ａ，１０ａに嵌着され、さらに嵌合部が溶接されている。
固定部材１０の接着は強度を保持するために全面接着であり、固定部材１０および金庫２の接着面は平らに研磨される。固定部材１０のサイズは、金庫２の壁面の大きさにおよび接着剤の接着強度に応じて適切なサイズが選択される。
【００１４】
接着剤としては、鉄系の材料を接着できる接着剤であればよく、たとえば、アクリル系、エポキシ系の接着剤が好適である。アクリル系の接着剤としては、たとえば、セメダイン株式会社製のＹ６０８、エポキシ系の接着剤としてはセメダイン株式会社製のＥＰ００８であれば、２００ｋｇ／ｃｍ２の接着強度があり、３０×３０ｃｍ程度の接着面を確保すれば、１８０ｔ程度の強度が得られる。もちろん、接着剤の種類はこれらの接着剤に限定されるものではない。
【００１５】
次に、図２に示すように、アンカー部材２０も鋼鉄製の板状部材で、アンカーボルト２３によって建物に固定されている。アンカーボルト２３は建物に打ち込まれた打ち込みアンカー２１のボルト穴２１ａにねじ込まれる。
アンカーボルト２３は、頭部の張り出しが無く、軸体の全長にねじが切られた形状で、その頭部端面がアンカー部材２０に設けられたねじ穴２０ｂの開口端までねじ込まれ、頭部端面をアンカー部材２０の表面と同一面とする。さらに、頭部端面は隠蔽手段として塗装され、塗装時に工具が係合する工具係合溝を塗料で埋めて工具係合溝の存在が分からないように偽装されている。工具係合溝は、一般的なプラス形状、マイナス形状、六角穴形状でもよいし、専用工具を必要とするような特殊形状としてもよい。また、頭部端面の塗装と同時に、アンカー部材２０の表面も同一色で塗装し、アンカーボルトとアンカー部材の境界も分からないように塗料で埋めることが好ましい。このようにすれば、アンカーボルトの存在自体が分からなくなる。
アンカー部材２０にはフック部２２が突設されている。フック部２２はチェーン部材３０を引っ掛ける鋼鉄製のＵ字形状の棒材で、両端がアンカー部材２０に溶接されている。すなわち、フック部２２の両脚部がアンカー部材２０に設けられた固定穴２０ａに嵌着され、さらに嵌合部が溶接されている。
アンカー部材２０は、フック部２２の左右の脚部が固定される幅広の左右のプレート２０Ａ，２０Ａと、プレート２０Ａ，２０Ａ間を連結する中央の連結片２０Ｂとを有し、各プレート片２０Ａ，２０Ｂがそれぞれアンカーボルト２３によって固定されている。
【００１６】
アンカーボルト２３はフック部２２の脚部を挟んで左右に一箇所づつ、フック部の一対の脚部を通るセンタライン上に一箇所、左右３個づつ計６個のアンカーボルト２３によって固定されるもので、中央のボルトがＭ２０、左右のボルトがＭ１２のものが用いられる。
さらに、アンカーボルト２３の頭部を隠す隠蔽手段として、アンカー部材２０に重ねられるカバー部材としてのカバープレート４０を有し、カバープレート４０がアンカー部材２０に固着具としてのカバーボルト４１を介して固定される。
このカバーボルト４１は、カバーボルト４１は専用工具により着脱される構成となっている。
カバーボルト４１もアンカーボルト２３と同様に、頭部の張り出しが無く、軸体の全長にねじが切られた形状で、カバープレート４０に設けられたねじ穴４０ａとアンカー部材２０に設けられたねじ穴２０ｃを重ねた状態でねじ込まれる。カバーボルトの頭部端面はカバープレート４０に設けられたねじ穴４０ａの開口端までねじ込まれ、頭部端面をカバープレート４０の表面と同一面とされている。また、カバーボルト４１のねじ込み端はアンカー部材２０のねじ穴２０ｃの下端を抜けないように構成している。
カバーボルト４１の頭部端面も隠蔽手段として塗装され、塗装時に工具が係合する工具係合溝を塗料で埋めて工具係合溝の存在が分からないように偽装されている。工具係合溝は、一般的なプラス形状、マイナス形状、六角穴形状でもよいし、専用工具を必要とするような特殊形状としてもよい。また、頭部端面の塗装と同時に、カバープレート４０の表面も同一色で塗装し、カバーボルト４１とカバープレート４０の境界も分からないように塗料で埋めるようにしてもよい。
カバープレート４０にはフック部２２が挿通可能な通し穴４２が設けられ、この通し穴４２から突出するフック部２２の係止穴に、カップリング５０を介してチェーン部材３０の一端が連結される構成で、カップリング５０が前記通し穴４２を通過不能の大きさとしている。
【００１７】
チェーン部材３０は、図４に示すように、鋼鉄製のリング３１を多数連結したもので、その一端がカップリング３２を介してアンカープレート２１のフック部２２に連結され、他端がもう一つのカップリング３２を介して固定部材１０のフック部１１に連結されている。
固定部材１０のフック部１１にも、カップリング５０を介してチェーン部材１０が連結される構成となっている。この固定部材１０のフック部１１への連結は、カップリング５０を用いずに、チェーンの一端をフック部１１に直接連結し、連結した状態でフック部１１を溶接するようにしてもよい。
【００１８】
カップリング５０は、図５に示すように、連結ピン５１によって連結される一対のカップリング構成部材５２，５２を有している。カップリング構成部材５２は互いに重なり合う一対の腕部５３，５３を備え、この腕部５３，５３に設けられたピン穴５４に前記連結ピン５１が差込固定されるようになっている。
このカップリング構成部材５２のピン穴５４が開口する腕部５３側面には、ピン穴５４を隠すピン留めカバー６０が接着される。このピン留めカバー６０には、前記ピン穴５４に対応するねじ穴６１が設けられ、このねじ穴６１にピン留めねじ６２がねじ込み固定され、ピン留めねじ６２のねじ頭部端面６３には専用工具７０が係合可能の特殊係合部６３ａが設けられている。
ここで、特殊係合部とは、一般的なねじ回しのビット構造、たとえば、プラス形状、マイナス形状のドライバ、六角レンチドライバなどの一般的工具のビット形状には合致しない特殊な形状とする。
図示例の特殊係合部６３ａは、大きさの異なる複数の係合穴が非対称に配置され、専用工具７０のヘッドには上記係合穴に係合するピン７１が突出した形状となっている。係合穴６３ａと係合ピン７１の数，配置，形状はこれに限定されるものではなく、必要に応じて適宜選択される。
たとえば、図５（Ｆ），（Ｇ）に示す例は、係合穴６３ｂ内の中央に穴内ピン６３ｃが立てられており、係合穴６３ｂは穴内ピン６３ｃの周囲の円環状の断面となっている。一方、工具ヘッド７０の係合ピン７１ａの中央には、穴内ピン６３ｃが差し込まれるピン穴７１ｂを設けた形状となっている。このようにすれば、工具に似せたピンを差し込もうとしても、穴内ピン６３ｃに阻まれ、差し込むことができない。図示例では係合穴６３ｂは２箇所に形成された例であるが、２箇所以上設けてもよい。
上記したアンカーボルト２３，カバーボルト４１の頭部端面の工具係合部については、特に図示しないが、専用工具を使用する特殊形状とする場合には、このピン留めねじ６２と同様の構造とすることができる。その場合、アンカーボルト２３とカバーボルト４１の工具係合部を同一形状とし、同じ工具で取り外す構造としてもよいし、工具係合部の形状を異ならせ、それぞれ別の工具を使用しないと外せない構造としてもよい。
【００１９】
ピン留めカバー６０は、ねじ穴６１の開口端部を頂部とし、頂部から固定面に向かって徐々に裾拡がり状に傾斜する傾斜面６４を備えている。この傾斜面は直線状としてもよいし、山形に膨らむ凸形状としてもよい。
ピン留めねじ６２も頭部の張り出しが無く、軸体の全長にねじが切られた形状で、ピン留めカバー６０に設けられたねじ穴６１にねじ込まれる。ピン留めねじ６２の頭部端面はねじ穴６１の開口端までねじ込まれ、頭部端面をピン留めカバー６０の表面と同一面とされている。また、ピン留めねじ６２のねじ込み端はねじ穴６１を抜けない長さとなっている。
ピン留めねじ６２の頭部端面についても塗装し、塗装時に工具が係合する特殊係合部６３ａを塗料で埋めて工具係合溝の存在が分からないように偽装してもよい。また、頭部端面の塗装と同時に、ピン留めカバー６０の表面も同一色で塗装し、ピン留めねじ６２とピン留めカバー６０の境界も分からないように塗料で埋めるようにしてもよい。
【００２０】
本発明の金庫の盗難防止留め具１は、次のようにして取り付ける。
金庫２の保管状況に応じて、金庫２の上面あるいは側面などに固定部材１０を接着剤にて接着固定する。接着面となる固定部材１０および金庫２の上面は平坦に研磨する。
一方、壁面，柱，床，天井の梁等、十分な強度を有する部分にアンカー２１を打ち込む。この例では、コンクリート壁に、アンカー部材２０のねじ穴２０ｂに対応して所定数、本実施例では１０箇所にアンカー２１を打ち込み、アンカー部材２０をあてがってアンカーボルト２３によってアンカー部材２０を固定する。アンカーボルト２３は、その頭部端面がアンカー部材２１０のねじ穴２０ａの開口端位置に達するまでねじ込む。
【００２１】
次いで、アンカー部材２０にカバー部材４０を重ね、カバーボルト４１によってカバープレート４０をアンカー部材２０に固定する。カバープレート４０を重ねる際に、フック部２２を通し穴４２に通す。カバーボルト４１の工具係合部を特殊形状とした場合には、締め込みには専用工具が用いられる。
次に、カップリング５０を用いて、固定部材１０およびアンカー部材２０のフック部１１，２２に、チェーン部材３０を連結する。
カップリング５０の連結は、分解状態のカップリング構成部材５２，５２をそれぞれフック部１１，２２とチェーン部材３０の両端のリングに引っ掛け、カップリング構成部材５２，５２の腕部５３，５３同士を重ね合わせ、ピン穴５４に連結ピン５１を打ち込む。この連結ピン５１は打ち込みは、連結ピン５１の端部がピン穴５４から突出しないようにピン穴５４の開口端手前に隠れるようにする。
【００２２】
次いで、ピン穴５４が開口する腕部端面５３ａにピン留めカバー６０を接着固定し、ピン留めカバー６０のねじ穴６１にピン留めねじ６２をねじ込み、連結ピン５１の頭部を隠して取付作業が完了する。
【００２３】
この盗難防止留め具１を外すためには、アンカー部材２０を打ち込みアンカー２１ごと建物３から引き抜くか、チェーン部材３０を切断するか、固定部材１０を金庫２から外す必要があるが、アンカー部材２０を引き抜こうとしても、打ち込みアンカー２１を建物３に埋め込んでいるので、容易には抜けない。
また、カッター等によって、チェーン部材３０を切断しようとしても、チェーン部材３０が揺れるので、切断箇所が不安定で切断が困難である。また、チェーン部材３０の各リングの太さを１６ｍｍ以上の太さに設定しているので、切断に相当の時間を要する。
【００２４】
実験によると、太さ１０ｍｍのチェーンのリングを固定し、サンドカッタを用いてリングの一箇所を切断するのに１０分程度かかった。リングを切断するには、２箇所切断する必要があるので、２箇所切断するのに２０分かかることになる。固定状態で２０分かかるので、不安定な状態でははるかに長い時間を要する。また、固定部材１０をはがそうとしても、金庫２の壁面に密着しているので、手掛かりがなく、はがすことが困難である。
【００２５】
一方、アンカーボルト２３はカバープレート４０によって隠蔽され、カバープレート４０を外さないとアンカーボルト２３を外せない。
カバープレート４０を外そうとしても、カバーボルト４１は専用工具７０が無いと外せないので、単純には外せない。仮に、カバープレート４０が外れたとしても、カバープレート４０の通し穴４２はフック部２２に引っかかっており、フック部２２から外そうとしても、カップリング５０が邪魔になってカバープレート４０が外れない。カバープレート４０とアンカー部材２０の間は、フック部２２の高さ程度の隙間しか開かない。したがって、このままの状態でアンカーボルト２３を外そうとしても、工具は斜めにしか入らず、カップリング５０を外さない限り、アンカーボルト２３を外すことは不可能である。
【００２６】
さらに、カップリング５０を外そうとしても、カップリング５０の連結ピン５１のピン穴５４はピン留めカバー６０のピン留めねじ６２によって隠されており、ピン留めねじ６３を外さないと連結ピン５１を外すことができない。ピン留めねじ６３を外そうとしても、専用工具７０が無いと外すことができない。ピン留めねじ６３を塗装していれば、ピン留めねじ６３自体の存在が不明である。
また、仮に、カップリング５０を外し、カバー部材を外したとしても、アンカー部材２０のアンカーボルト２３の頭部が隠されているので、どうやってアンカー部材２０が固定されているのか一見しただけは不明である。仮にボルト頭部の存在が分かったとしても、ボルト頭部のドライバビット用の溝が埋められているので、溝の塗料を掘り出す必要がある。
【００２７】
このように、本発明の金庫の盗難防止用留め具を用いれば、ジャッキ等の運搬具があったとしても、留め具を素手で外すことはできず、また、工具を用いたとしても、相当の時間を要し、警報システムによって警備員が駆けつけるまでの時間を十分稼ぐことができる。
図６には、カップリングの他の構成例が示されている。
すなわち、ピン留めカバー６０を用いないで、カップリング構成部材５２の腕部２５３を厚くして、ピン穴５４の開口部の内周に所定長さだけねじ部２６１を設け、連結ピン５１を前記ねじ部２６１の奥まで打ち込み、ねじ部２６１にピン留めねじ６２をねじ込むようにしたものである。
【００２８】
なお、上記実施の形態では、アンカー部材２０を建物の垂直の壁面に固定した場合を例示したが、図７（Ａ）に示すように床面に固定してもよいし、その他部位に固定してもよい。また、固定部材１０を金庫２の上面ではなく、図７（Ｂ）に示すように金庫２の側面に接着してもよいし、図示しないが、金庫２の底面や後面に接着してもよい。
また、チェーンを１本としたが、複数本設ければ、さらに時間を稼ぐことができる。その場合、固定部材とアンカー部材に設けられた同一のフックに複数本のチェーンを連結してもよいし、同一の固定部材およびアンカー部材に複数本のチェーンに対応して複数のフックを設けてもよい。
【００２９】
複数のチェーン部材に対応して固定部材およびアンカー部材についても複数設け、各固定部材を金庫の適宜箇所に固定するようにしてもよい。また、固定部材とアンカー部材のいずれか一方を一つとし、他方を複数としてもよく、種々の組み合わせが可能である。
また、留め具は金庫が倒れないように支持しておくことが好ましい。金庫の底壁は側壁や上壁よりも構造上弱いことが多く、倒されて底壁を破られる可能性があるからである。
特に、床面に固定する場合には、転倒して金庫の底壁が露出しないように、図８に示すように、複数本のチェーン部材３０によって床面に固定することが好ましい。２本のチェーン部材３０，３０で固定する場合には、金庫２に対して互いに反対側に固定して金庫２を支える構成とする。金庫側の固定部材１０は上面に固定することが好ましいが、側壁に固定するようにしてもよい。もちろん、２方向からの支持だけでなく、３本以上のチェーン部材を用いて３方向以上から支持するようにしてもよい。また、チェーン部材３０を床でなく壁に固定する場合にも、金庫が転倒しないようにチェーン部材３０の長さを短くしておくことが好ましい。
アンカーボルトのボルト頭部の隠蔽手段としては、たとえば、カバープレートを用いずに、ボルト頭部の工具係合部を被覆する塗装面だけとしてもよい。
また、アンカーボルト２３，カバーボルト４１およびピン留めねじ６２について、頭部の張り出しのあるボルトを使ってもよい。頭部の張り出しがある場合でも、ねじ穴開口部に座ぐりをして頭部が収納される構成とすれば、頭部の張り出しの無い場合と同様の偽装を施すことができる。
【００３０】
【発明の効果】
以上説明したように、本請求項１に記載の発明によれば、金庫の壁面に接着固定される固定部材と、建物に固定されるアンカー部材と、固定部材とアンカー部材との間を連結するチェーン部材と、を備えた構造としたので、重量物を運搬可能の運搬具等を用いて金庫を持ち去ろうとしても、留め具を外さない限り持ち去ることができず、盗難を抑止することができる。
また、留め具を外すためには、アンカー部材を建物から引き抜くか、チェーン部材を切断するか、固定板を金庫から外す必要があるが、アンカー部材を引き抜こうとしても、建物に埋め込んでいるので、容易には抜けない。
【００３１】
また、チェーン部材は切断しようとしても、チェーン部材が揺れるので、切断箇所が不安定となり、切断が困難で、単純に切断しようとしても不可能である。
さらに、固定部材をはがそうとしても、金庫の壁面に密着しているので、手掛かりがなく、はがすことができない。
また、接着固定とするので、どのような金庫に対しても取付ることができる利点もある。
【００３２】
請求項２に記載の発明によれば、アンカー部材はアンカーボルトによって建物に固定され、ボルトの頭部を隠す隠蔽手段を備えているので、どうやって固定しているか不明で、外しようがない。
請求項３に記載の発明によれば、隠蔽手段はアンカー部材に重ねられるカバー部材を備え、該カバー部材はアンカー部材に固着具を介して固定され、固着具は専用工具により着脱される構成となっているので、アンカー部材を外す前に、カバー部材の固着具を外さなければならず、より安全性が高い。
【００３３】
請求項４に記載の発明によれば、アンカー部材にはフック部が突設され、カバー部材にはフック部が挿通可能な通し穴が設けられ、該通し穴から突出するフック部にはカップリングを介してチェーン部材が連結される構成で、前記カップリングが前記通し穴を通過不能の大きさとしたので、カバー部材の固着具をを外してもカバー部材がカップリングに引っ掛かり、カバー部材を外すことができない。したがって、カバー部材とアンカー部材の間の空間が狭く、ドライバ等を真っ直ぐにアンカーボルトに係合させることができず、アンカーボルトの取り外しができない。
【００３４】
請求項６に記載の発明によれば、カップリングは、連結ピンによって連結される一対のカップリング構成部材を有し、カップリング構成部材は互いに重なり合う一対の腕部を備え、該腕部に設けられたピン穴に前記連結ピンが差込固定される構成で、カップリング構成部材のピン穴が開口する腕部側面には、ピン穴を隠すピン留めカバーが接着され、ピン留めカバーには、前記ピン穴に対応するねじ穴が設けられ、該ねじ穴にピン留めねじがねじ込み固定され、ピン留めねじのねじ頭部端面には専用工具が係合可能の特殊係合部が設けられる構成となっているので、ピン留めねじを外さない限り、連結ピンを外すことができない。
【００３５】
請求項７に記載の発明によれば、ピン留めカバーは、ねじ穴の開口端部を頂部とし、該頂部から固定面に向かって徐々に裾拡がり状に傾斜する傾斜面を備えているので、ピン留めカバーの接着面を剥がそうとしてもしてもし手掛かりが無く、ピン留めカバーを外しにくい。
【図面の簡単な説明】
【図１】図１は本発明の一実施の形態に係る金庫の盗難防止用留め具を示す斜視図である。
【図２】図２（Ａ）はアンカー部材の分解斜視図、同図（Ｂ）はアンカー部材の固定部の部分断面図、同図（Ｃ）はアンカー部材の平面図、同図（Ｄ）はカバープレートの平面図である。
【図３】図３（Ａ）は図１の固定部材の斜視図、図３（Ｂ）は同図（Ａ）の断面図である。
【図４】図４（Ａ）は図１のチェーン部材の正面図、同図（Ｂ）は同図（Ａ）の一つのリングの正面図である。
【図５】図５は図１のカップリングを示すもので、同図（Ａ）は正面図、同図（Ｂ）はピンの抜け留め部の部分拡大断面図、同図（Ｃ）は抜け留めねじの斜視図、同図（Ｄ）は同図（Ｂ）の平面図、同図（Ｅ）は専用工具の一例を示す斜視図、同図（Ｆ）は抜け留めねじと専用工具の他の構成例を示す斜視図、同図（Ｇ）は同図（Ｆ）の工具のピンと抜け留めねじの係止穴の部分断面図である。
【図６】図６は図１のカップリングの他の実施の形態を示すもので、同図（Ａ）は正面図、同図（Ｂ）は同図（Ａ）のピンの抜け留め部の部分拡大断面図である。
【図７】図７（Ａ），（Ｂ）は本発明の盗難防止留め具の他の取付例を示す図である。
【図８】図８は本発明の盗難防止留め具のさらに他の取付例を示す図である。
【符号の説明】
１　金庫の盗難防止用留め具、２　金庫、３　建物
１０　固定部材、１１　フック部
２０　アンカー部材、２１　打ち込みアンカー、２１Ａ　プレート片、
２１Ｂ　連結片、２２　フック部、
３０　チェーン部材、３１　リング
４０　カバープレート、４１　カバーボルト、４２　通し穴
５０　カップリング
５１　連結ピン、５２　カップリング構成部材、５３　腕部、５４　ピン穴
６０　ピン留めカバー
６１　ねじ穴、６２　ピン留めねじ、６３　頭部端面、６４　傾斜面
７０　専用工具
【図１】
2004027485.tif 000003
【図２】
2004027485.tif 000004
【図３】
2004027485.tif 000005
【図４】
2004027485.tif 000006
【図５】
2004027485.tif 000007
【図６】
2004027485.tif 000008
【図７】
2004027485.tif 000009
【図８】
2004027485.tif 000010
【手続補正書】
【提出日】平成14年12月17日(2002.12.17)
【手続補正１】
【補正対象書類名】明細書
【補正対象項目名】特許請求の範囲
【補正方法】変更
【補正の内容】
【特許請求の範囲】
【請求項１】
金庫等の対象物の壁面に接着固定される固定部材と、建物に固定されるアンカー部材と、固定部材とアンカー部材との間を連結するチェーン部材と、を備え、
前記アンカー部材はアンカーボルトによって建物に固定されるもので、前記アンカーボルトの頭部を隠す隠蔽手段を備え、
該隠蔽手段はアンカー部材に重ねられるカバー部材を備え、該カバー部材はアンカー部材に固着具を介して固定され、固着具は専用工具により着脱される構成となっていることを特徴とする盗難防止留め具。
【請求項２】アンカー部材にはフック部が突設され、カバー部材にはフック部が挿通可能な通し穴が設けられ、該通し穴から突出するフック部にはカップリングを介してチェーン部材が連結される構成で、前記カップリングが前記通し穴を通過不能の大きさとしたことを特徴とする請求項１に記載の盗難防止留め具。
【請求項３】対象物に接着固定される固定部材にもフック部が突設され、該フック部にカップリングを介してチェーン部材が連結される構成となっている請求項１又は２に記載の盗難防止留め具。
【請求項４】カップリングは、連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴が開口する腕部側面には、ピン穴を隠すピン留めカバーが接着され、該ピン留めカバーには、前記ピン穴に対応するねじ穴が設けられ、該ねじ穴にピン留めねじがねじ込み固定され、該ピン留めねじのねじ頭部端面には専用工具が係合可能の特殊係合部が設けられている請求項２または３に記載の盗難防止留め具。
【請求項５】ピン留めカバーは、ねじ穴の開口端部を頂部とし、該頂部から固定面に向かって徐々に裾拡がり状に傾斜する傾斜面を備えていることを特徴とする請求項４に記載の盗難防止留め具。
【請求項６】カップリングは、連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴の開口部の内周に所定長さだけねじ部を設け、ピンを前記ねじ部の奥まで打ち込み、ねじ部にピン留めねじをねじ込んだことを特徴とする請求項２または３に記載の盗難防止留め具。
【請求項７】連結ピンによって連結される一対のカップリング構成部材を有し、該カップリング構成部材は互いに重なり合う一対の腕部を備え、該腕部に設けられたピン穴に前記連結ピンが差込固定されるカップリングにおいて、
前記カップリング構成部材のピン穴が開口する腕部側面には、ピン穴を隠すピン留めカバーが接着され、該ピン留めカバーには、前記ピン穴に対応するねじ穴が設けられ、該ねじ穴にピン留めねじがねじ込み固定され、該ピン留めねじのねじ頭部端面には専用工具が係合可能の特殊係合部が設けられていることを特徴とするカップリングのピン抜け防止装置。
【請求項８】連結ピンによって連結される一対のカップリング構成部材を有し、該カップリング構成部材は互いに重なり合う一対の腕部を備え、該腕部に設けられたピン穴に前記連結ピンが差込固定される構成で、
前記カップリング構成部材のピン穴の開口部の内周に所定長さだけねじ部を設け、ピンを前記ねじ部の奥まで打ち込み、ねじ部にピン留めねじをねじ込んだことを特徴とするカップリング。
【手続補正２】
【補正対象書類名】明細書
【補正対象項目名】００３２
【補正方法】変更
【補正の内容】
【００３２】
アンカー部材はアンカーボルトによって建物に固定され、ボルトの頭部を隠す隠蔽手段を備えているので、どうやって固定しているか不明で、外しようがない。
特に、隠蔽手段はアンカー部材に重ねられるカバー部材を備え、該カバー部材はアンカー部材に固着具を介して固定され、固着具は専用工具により着脱される構成となっているので、アンカー部材を外す前に、カバー部材の固着具を外さなければならず、より安全性が高い。


【手続補正３】
【補正対象書類名】明細書
【補正対象項目名】００３３
【補正方法】変更
【補正の内容】
【００３３】
請求項２に記載の発明によれば、アンカー部材にはフック部が突設され、カバー部材にはフック部が挿通可能な通し穴が設けられ、該通し穴から突出するフック部にはカップリングを介してチェーン部材が連結される構成で、前記カップリングが前記通し穴を通過不能の大きさとしたので、カバー部材の固着具をを外してもカバー部材がカップリングに引っ掛かり、カバー部材を外すことができない。したがって、カバー部材とアンカー部材の間の空間が狭く、ドライバ等を真っ直ぐにアンカーボルトに係合させることができず、アンカーボルトの取り外しができない。


【手続補正４】
【補正対象書類名】明細書
【補正対象項目名】００３４
【補正方法】変更
【補正の内容】
【００３４】
請求項４に記載の発明によれば、カップリングは、連結ピンによって連結される一対のカップリング構成部材を有し、カップリング構成部材は互いに重なり合う一対の腕部を備え、該腕部に設けられたピン穴に前記連結ピンが差込固定される構成で、カップリング構成部材のピン穴が開口する腕部側面には、ピン穴を隠すピン留めカバーが接着され、ピン留めカバーには、前記ピン穴に対応するねじ穴が設けられ、該ねじ穴にピン留めねじがねじ込み固定され、ピン留めねじのねじ頭部端面には専用工具が係合可能の特殊係合部が設けられる構成となっているので、ピン留めねじを外さない限り、連結ピンを外すことができない。


【手続補正５】
【補正対象書類名】明細書
【補正対象項目名】００３５
【補正方法】変更
【補正の内容】
【００３５】
請求項５に記載の発明によれば、ピン留めカバーは、ねじ穴の開口端部を頂部とし、該頂部から固定面に向かって徐々に裾拡がり状に傾斜する傾斜面を備えているので、ピン留めカバーの接着面を剥がそうとしてもしてもし手掛かりが無く、ピン留めカバーを外しにくい。